(57)【要約】【課題】買物袋を再利用するために一つずつ収納する買物袋収納装置を、加工が面倒でなく、設置が容易なものにする。【解決手段】壁面１に片面を接して取り付けられる背板３の下縁に、蝶番７を介して、板材９を水平に突出した状態で支持する。この板材９には複数の孔１１が開口され、買物袋１３を細く丸めた状態で挿通し保持できる。よって板材９に複数の孔１１を開けるだけでよく、加工が面倒でない。また、装置を使用しないときは、板材９を壁面１に沿って位置させることができ、全体を壁面１に沿ってぴったり位置させることができ、よって大きな設置スペースを必要としない。【選択図】図1
2005253807.tif 000002
【特許請求の範囲】
【請求項１】
突出した状態で支持される板材と、この板材に開口され、買物袋を細く丸めた状態で挿通し保持できる複数の孔と、を有してなることを特徴とする買物袋収納装置。
【請求項２】
前記板材は、壁面に片面を接して取り付けられる背板の下縁に、蝶番を介して回動可能に取り付けられていることを特徴とする請求項１に記載の買物袋収納装置。
【発明の詳細な説明】
【技術分野】
【０００１】
この発明は、スーパーマーケットやコンビニエンスストアなどから商品を入れて持ち帰った買物袋を、再利用する前に収納しておくための装置に関する。
【背景技術】
【０００２】
スーパーマーケットやコンビニエンスストアなどから購入した商品を買物袋に入れて持ち帰った後に、その買物袋は、ゴミ袋などに再利用するために、収納してしておかなければならない。この収納のための装置として、たとえは、下記の特許文献１に掲載される技術がある。
【特許文献１】実用新案登録第３０５６９３５号  この技術は、直立した箱状のケースの全面が開放され、この開放部分に蜂の巣状の収納部が形成されるものである。この蜂の巣状の収納部に、丸めた買物袋を一つずつ収納する。
【発明の開示】
【発明が解決しようとする課題】
【０００３】
しかしながら、特許文献１の技術によると、蜂の巣状の収納部が形成加工が面倒であり、したがってコストが高くなってしまうものであった。また、ケースの設置場所が大きなスペースを必要とし、余裕スペースが限られやすい台所などへの設置が困難であった。
この発明は、以上の問題点を解決するために、加工が面倒でなく、設置が容易な買物袋収納装置を提供することを目的とする。
【課題を解決するための手段】
【０００４】
以上の課題を解決するために、第一発明は、 突出した状態で支持される板材と、この板材に開口され、買物袋を細く丸めた状態で挿通し保持できる複数の孔と、を有してなることを特徴とする買物袋収納装置である。
第二発明は、前記板材は、壁面に片面を接して取り付けられる背板の下縁に、蝶番を介して回動可能に取り付けられていることを特徴とする請求項１に記載の買物袋収納装置である。
【発明の効果】
【０００５】
第一、又は第二発明によれば、板材に複数の孔を開けるだけでよく、従来のような蜂の巣状の収納部は必要が無いので、加工が面倒でない。
第二発明によれば、壁面に片面を接して取り付けられる背板の下縁に、蝶番を介して、板材を回動可能に支持するので、装置を使用しないときは、板材を壁面に沿って位置させることができ、大きな設置スペースを必要とせず、よって設置が容易となる。
【発明を実施するための最良の形態】
【０００６】
この発明の実施形態を、図１及び図２に示す。
例えば台所などの壁面１に、背板３を取り付ける。この取り付けはネジ孔５を通して、図示しない木ネジを壁にねじ込むことで行う。よって、背板３は背面を壁面１に接して取り付けられる。この背板３の下縁に、蝶番７を介して、板材９が回動可能に取り付けられる。使用時は、板材９を水平に突出した状態で支持する。不使用時には、板材９を下方へ回動させ壁面１に沿って位置させる。
【０００７】
背板及び板材９は、横幅はともに２００ｍｍ〜２５０ｍｍ、高さは１００ｍｍ〜１５０ｍｍで、厚さは５ｍｍ〜１０ｍｍであり、材質は木製、合板ベニア製、プラスチック樹脂製、軽合金製（例えばアルミ製）などが可能である。蝶番７は、板材９の水平状態と、下方への回動状態の９０度の動きに節度を与える機能を有するものとし、背板及び板材９の蝶番取り付け部分に薄い凹部を形成し、その凹部の中に位置させて取り付けられる。また、背板及び板材９の蝶番７が設けられる側の端面は、４５度に面取りされる（図２（ａ）（ｂ）参照）。
【０００８】
この板材９には複数の孔１１が開口され、買物袋１３を細く丸めた状態で挿通し保持できる。買物袋１３は、スーパーマーケットやコンビニエンスストアなどから買物時に入手するもので、塩化ビニール袋などである。
孔１１は円形で、直径が１８ｍｍであるが、縦と横の大きさが違う楕円であってもよい。楕円の場合には、縦横の寸法は、例えば（２０ｍｍ、４０ｍｍ）などである。
（使用方法）  
装置を使用する際には、板材９が、下方へ回動し壁面１に沿って位置している状態から、上方へ９０度回動させ、水平に突出した状態にさせる。そして、買物袋１３を逆さにし、縦に細く丸めた状態とし、孔１１の下方から差し込み上方へ挿通させる。このように買物袋１３を逆さにすることで、水分などは下方へ垂れ、乾いた状態にできる。
【０００９】
「実施形態の効果」
この実施形態によれば、買物袋１３を収納するために、板材９に複数の孔１１を開けるだけでよく、従来のような蜂の巣状の収納部は必要が無いので、加工が面倒でない。よって、装置のコストを抑えることができる。
【００１０】
また、壁面１に片面を接して取り付けられる背板３の下縁に、蝶番７を介して、板材９を回動可能に支持するので、装置を使用しないときは、板材９を壁面１に沿って位置させることができ、全体を壁面１に沿ってぴったり位置させることができ、よって大きな設置スペースを必要とせず、設置が容易となる。
【００１１】
「他の実施形態」
以上の実施形態では、装置が取り付けられる面は、壁面１としたが、この壁面１の意味は壁様の面の意味であり、通常の壁の面のほかに、例えば食器収納棚の観音開きの扉の裏側の面でもよい。そのような扉の裏とすることで、デッドスペースを本装置の設置スペースとすることができる。。
【００１２】
以上の実施形態では、回動可能とするために独立した金属金具の蝶番７を用いたが、他の実施形態では、背板及び板材９の隣接する端面を加工して、組み合わせて、一体的な蝶番機構を形成することで回動可能としてもよい。  以上の実施形態では、背板３が設けられたが、他の実施形態では、背板３を設けずに板材９を蝶番７によって壁面１に直接に取り付けてもよい。
【００１３】
以上の実施形態では、孔１１の数は縦列、横５列の１５個であったが、他の実施形態では１４個以下、あるいは１６個以上であってもよい。
【００１４】
以上の実施形態では、回動可能とするために蝶番７を用いたが、他の実施形態では、他の手段により回動可能とし、板材９を水平に突出した状態で支持することができる。たとえば、図２（Ｃ）において背板３の左上端と板材９の左下端と、及び、背板３の右上端と板材９の右下端とを、それぞれ図示しない紐で結び、この紐の長さを調整して、背板３に対し板材９が９０度に位置し、よって板材９が水平に突出した状態で支持することができる。
【図面の簡単な説明】
【００１５】
【図１】この発明の一実施形態に係る装置の使用状態を示す斜視図である。
【図２】（ａ）は図１の装置の斜視図、（ｂ）は（ａ）の板材を下に回動した状態を示す側面図、（ｃ）は（ｂ）の正面図である。
【符号の説明】
【００１６】
１…壁面、３…背板、５…ネジ孔、７…蝶番、９…板材、１１…孔、１３…買物袋。
【図１】
2005253807.tif 000003
【図２】
2005253807.tif 000004